(57)【要約】【課題】プラントに関連するデータ群を有効に利用することができるプラント情報管理装置およびプラント情報管理方法を提供する。【解決手段】端末装置５は、プラントに関連するデータ（オブジェクト）群を格納する格納手段５１と、格納手段５１に格納されたデータ間の関連を、スタッフの役割ごとに定義する定義手段５２と、定義手段５２による定義の入力を受け付ける受付手段５３と、定義手段５２により定義された、役割ごとの関連に応じた形態で格納手段５１に格納されたデータを表示する表示手段５３と、を構成する。また、端末装置５には、ネットワーク６を介する通信を実行する通信部５６が設けられている。【選択図】図１
2010204888.tif 000002
【特許請求の範囲】
【請求項１】
プラントに関連するデータ群を管理するプラント情報管理装置において、
プラントに関連するデータ群を格納する格納手段と、
前記格納手段に格納されたデータ間の関連を、役割ごとに定義する定義手段と、
前記定義手段による定義の入力を受け付ける受付手段と、
前記定義手段により定義された、前記役割ごとの関連に応じた形態で前記格納手段に格納されたデータを表示する表示手段と、
を備えることを特徴とするプラント情報管理装置。
【請求項２】
前記定義手段は、前記関連の属性を併せて定義することを特徴とする請求項１に記載のプラント情報管理装置。
【請求項３】
前記格納手段に格納されたデータ群を検索する検索手段を備えることを特徴とする請求項１または２に記載のプラント情報管理装置。
【請求項４】
プラントに関連するデータ群を管理するプラント情報管理方法において、
プラントに関連するデータ群を格納するステップと、
前記格納するステップにより格納されたデータ間の関連を、役割ごとに定義するステップと、
前記定義するステップによる定義の入力を受け付けるステップと、
前記定義するステップにより定義された、前記役割ごとの関連に応じた形態で前記格納するステップにより格納されたデータを表示するステップと、
を備えることを特徴とするプラント情報管理方法。
【発明の詳細な説明】
【技術分野】
【０００１】
本発明は、プラントに関連するデータ群を管理するプラント情報管理装置およびプラント情報管理方法に関する。
【背景技術】
【０００２】
プラントを安定、安全に運転するためにプラントに従事する人々は、その役割に応じて、様々な観点でプラントの情報にアクセスする必要がある。
【０００３】
例えば、オペレータは、配管と計装図をメインに、正しい原料に対して正しい条件で加熱・冷却・反応が行われているかどうかを監視している。プロセススタッフは、プロセスフローダイアグラムをメインに、理論値と比較して正しく製品が製造されているかを、例えば過去のデータを参照しながら判断するとともに、プロセスの改善を検討している。品質スタッフは、製品のサンプリング結果をメインに、目標の品質に達しているか、品質不良の発生はないか、品質不良の発生原因は何か、品質不良の発生を防止する方法は何か、などを検討している。保全員は、プラントに点在している装置に着目し、体系立てられた階層（プラント階層）をメインに、装置が故障していないか、故障の予兆を示す挙動がないか、過負荷が特定の装置に集中していないか、次の装置のメンテナンスをどのように行うか、などを検討している。また、マネージャは、製品が納期どおりに目標の品質で出荷されているか、事故やオーバーワークを発生していないか、プラント内の装置が故障していないか、などについて、担当者からの報告書をメインに全体を管理している。
【先行技術文献】
【特許文献】
【０００４】
【特許文献１】特開２００９−００９３９９号公報
【発明の概要】
【発明が解決しようとする課題】
【０００５】
しかし、従来のシステムでは、プラントの情報にアクセスするための画面が役割ごとに独立して作成されている。また、情報を表示するシステム自体が役割ごとに別々のアプリケーションシステムとして構成される場合もある。したがって、画面に必要なプロセスデータの収集部分や演算部分などを役割ごとに個別に作り込む必要がある。また、プラントの装置やプロセスフローが変更になった場合、すべての役割について個別に画面に変更点を反映させる作業も必要となる。したがって、従来のシステムでは、エンジニアリング作業の負担が大きく、プラントの変更等に対応するための作業も煩雑となる。
【０００６】
本発明の目的は、エンジニアリング作業の負担を軽減できるプラント情報管理装置およびプラント情報管理方法を提供することにある。
【課題を解決するための手段】
【０００７】
本発明のプラント情報管理装置は、プラントに関連するデータ群を管理するプラント情報管理装置において、プラントに関連するデータ群を格納する格納手段と、前記格納手段に格納されたデータ間の関連を、役割ごとに定義する定義手段と、前記定義手段による定義の入力を受け付ける受付手段と、前記定義手段により定義された、前記役割ごとの関連に応じた形態で前記格納手段に格納されたデータを表示する表示手段と、を備えることを特徴とする。
このプラント情報管理装置によれば、データ間の関連を役割ごとに定義するとともに、この定義に従い、役割ごとの関連に応じた形態で格納手段に格納されたデータを表示するので、データ間の関連の定義の作成、変更によって、役割ごとに異なる表示形態を容易に提供することができる。
【０００８】
前記定義手段は、前記関連の属性を併せて定義してもよい。
【０００９】
前記格納手段に格納されたデータ群を検索する検索手段を備えてもよい。
【００１０】
本発明のプラント情報管理方法は、プラントに関連するデータ群を管理するプラント情報管理方法において、プラントに関連するデータ群を格納するステップと、前記格納するステップにより格納されたデータ間の関連を、役割ごとに定義するステップと、前記定義するステップによる定義の入力を受け付けるステップと、前記定義するステップにより定義された、前記役割ごとの関連に応じた形態で前記格納するステップにより格納されたデータを表示するステップと、を備えることを特徴とする。
このプラント情報管理方法によれば、データ間の関連を役割ごとに定義するとともに、この定義に従い、役割ごとの関連に応じた形態で格納手段に格納されたデータを表示するので、データ間の関連の定義の作成、変更によって、役割ごとに異なる表示形態を容易に提供することができる。
【発明の効果】
【００１１】
本発明のプラント情報管理装置によれば、データ間の関連を役割ごとに定義するとともに、この定義に従い、役割ごとの関連に応じた形態で格納手段に格納されたデータを表示するので、データ間の関連の定義の作成、変更によって、役割ごとに異なる表示形態を容易に提供することができる。
【００１２】
本発明のプラント情報管理方法によれば、データ間の関連を役割ごとに定義するとともに、この定義に従い、役割ごとの関連に応じた形態で格納手段に格納されたデータを表示するので、データ間の関連の定義の作成、変更によって、役割ごとに異なる表示形態を容易に提供することができる。
【図面の簡単な説明】
【００１３】
【図１】一実施形態のプラント情報管理装置の構成を示す図であり、（ａ）はプラント情報管理装置が適用されるフィールド制御システムの構成を示すブロック図、（ｂ）は端末装置の構成を示す図。
【図２】プラント相関図を例示する図。
【図３】表示手段による表示画面例を示す図。
【発明を実施するための形態】
【００１４】
以下、本発明によるプラント情報管理装置の実施形態について説明する。
【００１５】
図１（ａ）および図１（ｂ）は、本実施形態のプラント情報管理装置が適用されるフィールド制御システムの構成を示すブロック図である。
【００１６】
図１（ａ）に示すように、フィールド制御システムはプラントに分散配置されるフィールドコントローラ２，２，・・・と、フィールドコントローラ２，２，・・・を介してフィールド機器１，１，・・・を操作監視する操作監視装置３と、プロセスデータ（履歴データ）等を格納するサーバ４と、プラントに関連する各種データへのアクセスを行うための端末装置５とを備える。フィールドコントローラ２，２，・・・、操作監視装置３、サーバ４および端末装置５はネットワーク６を介して互いに接続されている。
【００１７】
図１（ｂ）に示すように、端末装置５は、プラントに関連するデータ（オブジェクト）群を格納する格納手段５１と、格納手段５１に格納されたデータ間の関連を、スタッフの役割ごとに定義する定義手段５２と、定義手段５２による定義の入力を受け付ける受付手段５３と、定義手段５２により定義された、役割ごとの関連に応じた形態で格納手段５１に格納されたデータを表示する表示手段５４と、を構成する。また、端末装置５には、ネットワーク６を介する通信を実行する通信部５６が設けられている。
【００１８】
図２は、格納手段５１に格納されたオブジェクトについて、定義手段５２により定義されるプラント相関図を例示する図である。プラント相関図は、プラントに関連するデータ、例えばプラントの運転状態を表すために必要なデータをオブジェクトで示すとともに、オブジェクト同士に関連がある場合にはオブジェクト間を配線で結ぶことで、オブジェクト間の関連性を示す図である。
【００１９】
ここで、オブジェクトは各データについて、データ値を取得するために必要な設定情報も含めてデータを一つのかたまりでまとめたものである。例えば、収集先データソース、収集方法、収集タイミング、データ保管方法、演算式、演算タイミングなどを含んでいる。
【００２０】
オブジェクトや配線にはオブジェクト間の関連を設定した者の役割名（オーナー）を付加することができる。図２において、「（ＯＰ）」はオペレータを、「（保全）」は保全員を、「（ＳＴ）」はスタッフを、それぞれ役割名（オーナー）として表示している。
【００２１】
また、図２に示すように、配線には関連の属性を示す種類が設定できる。図２に示すように、所有を示す「集約関係」の属性、親子関係を持ち親の情報を子が引き継ぐ「継承関係」の属性など、オブジェクト間の関連の属性を指定することができる。
【００２２】
このように、役割名（オーナー）と属性を利用することで、複雑に入り混じるデータ（オブジェクト）間の関連を表現することが可能となる。
【００２３】
このような相関図は、受付手段５３を介するユーザに操作に従って作成される。ユーザは各役割について、オブジェクトおよび配線を設定することで、自由にオブジェクト間の関連を指定することができる。相関図の作成時には、相関図をディスプレイ７の画面に表示し、画面上での操作により相関図を作成、編集できるようにしてもよい。
【００２４】
配線の設定にあたり、個々のオブジェクト間の配線を設定するための操作を省略できるようなルールを、予め定義手段５２において定義しておいてもよい。例えば、「フィールド機器とその機器のスペックを構成するデータとの間には、保全員をオーナーとする配線を設定する」というルールを定義しておけば、個々のフィールド機器についてこのような配線を設定する入力操作が不要となる。ルールの例外が発生する場合には、個々の配線について修正する入力操作を行えばよい。
【００２５】
表示手段５４は、相関図に基づいた表示形態で、格納手段５１に格納されたオブジェクトのデータをディスプレイ７の画面上に表示する。
【００２６】
図３は、表示手段５４による表示画面例を示している。
【００２７】
この例では、図２の相関図に即して生成されるオペレータ向けの画面を示している。図２に示すように、相関図には、「反応器Ａ」に集約されるデータとして「原料バルブＡ」、「原料ポンプＡ」、「反応タンクＡ」、「製品バルブＡ」および「製品ポンプＡ」が示されている。一方、図３に示すように、表示画面では、「反応器Ａ」の一つ下の階層に、「原料バルブＡ」、「原料ポンプＡ」、「反応タンクＡ」、「製品バルブＡ」および「製品ポンプＡ」を配置することで、これらが「反応器Ａ」に関連するデータであるとともに、集約関係がある旨が示される。
【００２８】
オペレータは、表示画面上のアイコンを操作（例えば、クリック）することで、対応するデータを取得し、あるいは対応するデータに関連のある他のデータを展開表示させることができる。画面上の操作により、データの取得が指示された場合、例えば、通信部５６およびネットワーク６を介して当該データ（データ値）が取得される。
【００２９】
このように、オペレータ向けの画面では、表示手段５４は、相関図の配線のうち、オーナーがオペレータである配線を検索し、配線のオーナーがオペレータであるオブジェクト間の関連性のみを画面に反映させる。これにより、オペレータに必要なデータに対する効率的なアクセスが可能となる。同様に、保全員向けの画面では、相関図における配線のオーナーが保全員である場合のみ、その関連性を画面に反映させる。スタッフ向けの画面では、相関図における配線のオーナーがスタッフである場合のみ、その関連性を画面に反映させる。
【００３０】
以上のように、本実施形態のプラント情報管理装置によれば、プラント相関図を用いることにより、各役割に適したデータの、互いに異なる見せ方を取得することができる。
【００３１】
また、すべての役割の画面も同一のアプリケーションに基づいて作成されるため、定義手段５３における定義、すなわちプラント相関図の変更により、容易に格納手段５１に格納されたすべてのデータに容易にアクセス可能となる。このため、役割を超えて同一データを有効に利用することができ、エンジニアリング作業の負担を軽減できる。また、プラントに変更が生じた場合でも、オブジェクト同士の関連をたどることでその影響の範囲が容易に判断できる。また、プラントに変更が生じても相関図のみの修正で済むため、エンジニアリング作業の負担とならない。
【００３２】
次に、検索手段５５は、格納手段５１に格納されたすべてのオブジェクトについて検索を行う。例えば、新たなオブジェクトを追加したい場合、プラント相関図に対して役割をまたいだ検索を行う。検索の結果、そのオブジェクトがすでに別の役割にて定義済みであれば、オーナーを追加するだけで、当該役割についてもそのオブジェクトを利用可能となる。これにより、重複したデータ収集の無駄を省くこともでき、システム全体について余分なオーバーヘッドが減り、データを効率的に取り扱うことが可能となる。
【００３３】
以上説明したように、本発明のプラント情報管理装置およびプラント情報管理方法によれば、データ間の関連を役割ごとに定義するとともに、この定義に従い、役割ごとの関連に応じた形態で格納手段に格納されたデータを表示するので、データ間の関連の定義の作成、変更によって、役割ごとに異なる表示形態を容易に提供することができる。したがって、エンジニアリング負担を大幅に軽減できる。
【００３４】
本発明の適用範囲は上記実施形態に限定されることはない。本発明は、プラントに関連するデータ群を管理するプラント情報管理装置およびプラント情報管理方法に対し、広く適用することができる。
【符号の説明】
【００３５】
５１    格納手段
５２    定義手段
５３    受付手段
５４    表示手段
【図１】
2010204888.tif 000003
【図２】
2010204888.tif 000004
【図３】
2010204888.tif 000005